(57)【特許請求の範囲】
【請求項１】
マイナスイオンを発生する物質を両面に塗布した板状体を用いて、筒状に形成されたマイナスイオン発生板と、
前記マイナスイオン発生板の外表面に形成される、前記マイナスイオン発生板を支持する支持脚と
を有し、
前記マイナスイオン発生板は、側面長手方向において分断する部分を有し、この分断された各縁部同士は着脱可能に形成されるとともに、分断された状態で分断された縁部の一方が、分断された縁部の他方に連なるマイナスイオン発生板の内面側に移動することが可能に形成される
エンジン用エアークリーナー改善器。
【請求項２】
前記マイナスイオン発生板には、複数の穴が形成される請求項１に記載のエンジン用エアクリーナー改善器。
【請求項３】
前記マイナスイオン発生物質はトルマリンを含有する塗料である請求項１から３のいずれか１項に記載のエンジン用エアクリーナー改善器。
【発明の詳細な説明】
【技術分野】
【０００１】
本発明はエンジンのエアクリーナーを改善する器具に関する。
【背景技術】
【０００２】
従来、マイナスイオンを発生させる物質（以下、「マイナスイオン発生物質」という）を用いてエンジンのエアクリーナーを改善する発明が存在する。例えば、下記特許文献１にはエアクリーナーのエアフィルター上にマイナスイオン発生物質を塗布したフィルターを設置する発明が示され、下記特許文献２にはエアフィルター自体にマイナスイオン発生物質を塗布する発明が示されている。
【特許文献１】登録実用新案第３０８２３０７号公報
【特許文献２】特開２００３−２１００８号公報。
【発明の開示】
【発明が解決しようとする課題】
【０００３】
しかし、上記特許文献１、２のようにエアフィルターの上面にフィルターを設置したりエアフィルター自体にマイナスイオン発生物質を塗布すると、流入する空気は通過する表面側のマイナスイオン発生物質にのみ反応することになり効率が悪い。
そこで、本発明は、エンジンのエアクリーナーをマイナスイオン発生物質により改善するに際して、より効率よく空気を反応させるようにすることを課題とする。
【課題を解決するための手段】
【０００４】
上記課題を解決するために、本発明は次のような構成を有する。
請求項１に記載の発明は、マイナスイオンを発生する物質を両面に塗布した板状体を用いて、筒状に形成されたマイナスイオン発生板と、前記マイナスイオン発生板の外表面に形成される、前記マイナスイオン発生板を支持する支持脚とを有するエンジン用エアークリーナー改善器であり、前記マイナスイオン発生板は、側面長手方向において分断する部分を有し、この分断された各縁部同士は着脱可能に形成されるとともに、分断された状態で分断された縁部の一方が、分断された縁部の他方に連なるマイナスイオン発生板の内面側に移動することが可能に形成されるものである。マイナスイオンを発生する物質は、例えば、トルマリン、レアアース鉱石、黒曜石、岐阜麦飯石、南京麦飯石、貴宝石、角閃石等が挙げられる。
請求項２に記載の発明は、前記エアクリーナー改善器いおいて、前記マイナスイオン発生板には、複数の穴が形成されるものである。
請求項３に記載の発明は、前記エンジン用エアクリーナー改善器において、前記マイナスイオン発生物質をトルマリンを含有する塗料としたものである。
【発明の効果】
【０００５】
請求項１に記載の発明は、エアフィルターが円筒状で、外部から内部へ空気が流通する構成である場合に、エアフィルター内部に載置することで、エアフィルター内周面のすべてに面するようにマイナスイオン発生物質を両面に塗布したマイナスイオン発生板を位置づけることができるとともに、支持脚によりエアフィルターの内周面とマイナスイオン発生板との間に空間ができるようにすることができる。これにより、空気はマイナスイオン発生板の両面に接することになり、一面のみで接触した場合に比較してより効率よく空気を反応させることができる。そして、円筒状のエアフィルターの内面側の入り口に至る穴が小さい場合であっても、まず、筒状のマイナスイオン発生板を側面長手方向に沿って分断し、分断された縁部の一方を分断された縁部の他方に連なる内面側に移動させることでマイナスイオン発生板が構成する筒の外径を小さくすることができ、この状態で、小さな入り口から全体をエアフィルターの内面側に入れて、その後、分断された縁部同士を固定することでエアフィルターの内面位置に載置することが可能となる。
請求項２に記載の発明は、マイナスイオン発生板に穴を開けることで、エアフィルターへの空気の流入に対する抵抗を少なくすることができる。
請求項３に記載の発明は、マイナスイオン発生物質をトルマリンとすることで、高い反応率を得ることが可能となる。
【発明を実施するための最良の形態】
【０００９】
図１に実施形態に係るエンジン用エアクリーナー改善器Ｙの斜視図を示す。エンジン用エアクリーナー改善器Ｙは、マイナスイオン発生板１０と支持脚２０とから構成される。マイナスイオン発生板１０は、円筒を円周方向に４等分した４つの円弧部分１１により構成される。円弧部分１１は複数の穴１０ａが複数穿たれた長方形状の金属板を折り曲げて形成されるものであり、両面にマイナスイオン発生物質として実施形態１に示したのと同じ塗料が焼付け塗装されている。なお、図１では穴１０ａは一部のみ表示されている。支持脚２０はマイナスイオン発生板１０が形成する円筒の外表面に形成される。具体的には、マイナスイオン発生板１０を形成する円弧部分１１の円筒側面を構成する縁部に２つの張り出し部を設け、これを折り曲げることで円弧部分１１の各縁部に２個の支持脚２０が形成されている。支持脚２０には２個の穴が設けられており、円弧部分１１を組み合わせて円筒状にした際に隣接する支持脚２０同士は合成樹脂製の弾性力のある紐状の締結リング２０ａにより連結される。なお、この連結は隣接する支持脚２０同士を１ｃｍ程度離すことができるように、ある程度の余裕を持たせてある。４つの円弧部分１１により円筒を構成すると支持脚２０は４つの辺で隣接することになるが、締結リング２０は３つの辺で隣接する６組の支持脚２０同士を連結している。残りの、隣接する支持脚２０を有する円弧部分１１同士の縁部は、縁部連結体３０により連結される。縁部連結体３０は長尺の板状体であり、やはり、複数の穴３０ａが穿たれ、マイナスイオン発生物質を含有する塗料が焼き付け塗装されている。縁部連結体３０の長さはマイナスイオン発生板１０の長さとほぼ同様であり、両方の短辺に２個づつ長方形状の爪部３１が設けられている。縁部連結体３０は人の力で曲げることができ、爪部３１も人が自在に曲げることができる。隣接する爪部３１同士は、ほぼ、重なった支持脚２０の厚みと同じ程度の間隔が設けられている。この縁部連結体３０は、一端の爪部３１を鉤状に曲げておき、円筒状のマイナスイオン発生板１０の内周面側からこの曲げた爪部３１を重ねた支持脚２０を挟むようにしてマイナスイオン発生板１０の開口縁に引っ掛け、他方の爪部３１を逆側の開口縁において重なった支持脚２０を挟むように折り曲げることにより、円筒体のマイナスイオン発生板１０の残りの縁部を連結するものである。この縁部連結体３０により、円筒体の分断された縁部は着脱自在となっている。
【００１０】
次に、以上のような構成を有するエンジン用エアクリーナー改善器Ｙの使用方法について説明する。このエンジン用エアクリーナー改善器Ｙは円筒形で、外周面にスペースがほとんどないエンジン用エアクリーナーに使用される。図２にこのタイプのエアクリーナーＣにエンジン用エアクリーナー改善器Ｙを装着した状態の平面図を示し、図３に図２のＣ−Ｃ断面図を示す。
図に示すように、エアクリーナーＣは吸気口Ｃ１から取り入れた空気をチャンバーＣ２に流入させ、エアフィルターＣ３を通して浄化し、エアフィルターＣ３の内周に囲まれたチャンバーＣ５から排気口Ｃ４を通じてエンジンへ供給している。そして、本発明に係るエンジン用エアクリーナー改善器Ｙは、図に示すようにエアフィルターＣ３の内周側面に沿うようチャンバーＣ５に設置する。エアクリーナーＣのチャンバーＣ５の入り口は内周面側へ張り出したフランジ部Ｃ４ａが設けられており、エンジン用エアクリーナー改善器Ｙは支持脚２０に外接する円周よりもフランジ部Ｃ４ａの内周面のほうが小さいので、エンジン用エアクリーナー改善器Ｙは円筒形状のままでは、チャンバーＣ５内に入れることができない。そこで、まず、縁部連結体３０をはずした状態で、連結していない円弧部分１１の縁部の一方を内面側へ移動させる。連結している円弧部分１１同士は締結リング２０によりある程度の余裕を持って連結されているので、簡易に連結していない縁部は内面側へ移動することができる。そして、内面側へ移動させた縁部を今度は縁部が面する方向に存する、隣接する円弧部分１１の内周面に沿って移動させる。これにより、エンジン用エアクリーナー改善器Ｙの支持脚２０に外接する円周の径が小さくなり、フランジ部Ｃ４ａを通してチャンバーＣ５内へ入れることができる。チャンバーＣ５内に入ったところで、エンジン用エアクリーナー改善器Ｙを円筒形状に戻し、縁部連結体３０を内周面から差し入れて連結していない縁部を連結することで、図に示すようにチャンバーＣ５内へ載置することができる。この状態で、自動車のエンジンを始動することで、やはり、チャンバーＣ５内の空気がエンジン用エアクリーナー改善器Ｙの内面および外面を通って、空気がマイナスイオン化され、エンジンの燃焼効率を高めることができる。
なお、エンジン用エアクリーナー改善器Ｙは円弧部分１１の数を変えることで外径の大きさを変えることができ、これにより、種々の大きさの円筒形のエアクリーナーに対応することができる。
【図面の簡単な説明】
【００１１】
【図１】実施形態に係るエンジン用エアクリーナー改善器を示す斜視図である。
【図２】円筒型で内周面から空気を取り入れるエンジン用エアクリーナーにエンジン用エアクリーナー改善器を装着した状態を示す平面図である。
【図３】図２のＣ−Ｃ断面図である。
【符号の説明】
【００１２】
Ｙ  エンジン用エアクリーナー改善器
Ｃ  エアクリーナー
１０    マイナスイオン発生板
１０ａ  穴  
２０    支持脚
【要約】
【課題】  エンジンのエアクリーナーをマイナスイオン発生物質により改善するに際して、より効率よく空気を反応させるようにすることを課題とする。
【解決手段】  エンジン用エアークリーナー改善器において、マイナスイオンを発生する物質を両面に塗布した板状体であるマイナスイオン発生板と、前記マイナスイオン発生板の設置面とこの設置面に対向する面との間に空間ができるように前記マイナスイオン発生板を支持する支持脚とを有する。このような構成により、エアフィルター近傍に本器具を設置すると、空気はマイナスイオン発生板の両面に接することになり、一面のみで接触した場合に比較してより効率よく空気を反応させることができる。
【選択図】  図１
【図１】
0003711137.tif 000002
【図２】
0003711137.tif 000003
【図３】
0003711137.tif 000004